(57)【要約】【課題】高解像度の電子スチルカメラにおいて、再生モードにして画像を選択した場合の表示にかかる時間を短縮するとともに、高画質な画像を表示することを可能とする。【解決手段】撮影で得られた主画像の画像データをメディアに記録する画像記録装置であって、撮像素子２より入力されてくる撮像信号に対して信号処理を行う撮像処理部３と、撮像処理部３による主画像の画像データのサイズの変更を行うズーム処理部４と、画像データに対する表示用の処理を行う表示画像処理部６と、撮影時にメディアに記録する主画像の画像データとは別に、表示用画像データとして、“表示枠領域に複数枚の画像を貼り付けたマルチ画像の表示用画像データ”と“表示サイズに合わせた１枚画像の表示用画像データ”のうちの少なくともいずれか一方の表示用画像データを生成し、生成した表示用画像データを記憶領域に一時記憶させておく表示用画像管理部１２とを備える。【選択図】図１
2007306291.tif 000002
【特許請求の範囲】
【請求項１】
撮影で得られた主画像の画像データをメディアに記録する画像記録装置であって、
撮像素子より入力されてくる撮像信号に対して信号処理を行う撮像処理部と、
前記撮像処理部による前記主画像の画像データのサイズの変更を行うズーム処理部と、
前記画像データに対する表示用の処理を行う表示画像処理部と、
撮影時に前記メディアに記録する前記主画像の画像データとは別に、表示用画像データとして、“表示枠領域に複数枚の画像を貼り付けたマルチ画像の表示用画像データ”と“表示サイズに合わせた１枚画像の表示用画像データ”のうちの少なくともいずれか一方の表示用画像データを生成し、生成した前記表示用画像データを記憶領域に一時記憶させておく表示用画像管理部とを備えた画像記録装置。
【請求項２】
前記表示用画像データを前記記憶領域に一時記憶する際に、前記表示用画像データを圧縮した上で記憶する機能を有する請求項１に記載の画像記録装置。
【請求項３】
前記表示用画像管理部は、前記マルチ画像の表示用画像データを生成する際に、前記主画像の画像データが前記表示枠領域に貼り付けられる最大枚数分まで得られていない場合には、前記マルチ画像の表示用画像データの圧縮をせずに前記記憶領域に一時記憶させる請求項２に記載の画像記録装置。
【請求項４】
前記表示用画像管理部は、前記表示用画像データとして１枚画像の表示用画像データのみを生成し、前記記憶領域に一時記憶させる請求項１から請求項３までのいずれかに記載の画像記録装置。
【請求項５】
前記表示用画像管理部は、前記表示用画像データとしてマルチ画像の表示用画像データのみを生成し、前記記憶領域に一時記憶させる請求項１から請求項３までのいずれかに記載の画像記録装置。
【請求項６】
前記表示用画像管理部は、前記表示用画像データとしてマルチ画像の表示用画像データおよび１枚画像の表示用画像データの双方を生成し、それぞれを前記記憶領域に一時記憶させる請求項１から請求項３までのいずれかに記載の画像記録装置。
【請求項７】
前記表示用画像管理部は、生成された前記マルチ画像の表示用画像データと前記１枚画像の表示用画像データとを前記記憶領域において２つに分けて一時記憶する請求項６に記載の画像記録装置。
【請求項８】
前記表示用画像データの一時記憶のための前記記憶領域は、外部メモリ、内部メモリ、メディアのうちの少なくとも何れか１つである請求項１から請求項７までのいずれかに記載の画像記録装置。
【請求項９】
前記表示用画像データの一時記憶のための前記記憶領域が前記メディアである場合に、電源がＯＦＦされたときには、前記メディアで一時記憶されている前記表示用画像データを削除するように構成されている請求項８に記載の画像記録装置。
【発明の詳細な説明】
【技術分野】
【０００１】
本発明は、撮影で得られた主画像の画像データをメディアに記録する画像記録装置にかかわり、特には、再生モードで画像を選択した場合の表示にかかる時間を短縮する技術に関する。
【背景技術】
【０００２】
近年、ディジタルカメラは多くのメーカーから多数商品化されており、一般家庭に普及している。ディジタルカメラの多くは、ＬＣＤ（Liquid Crystal Display）などの表示装置を持ち、撮影した画像をその場で確認できることを特徴のひとつとしている。
【０００３】
ディジタルカメラの記録処理においては、光電変換により得られた画像データを圧縮処理して半導体メモリ等のメディア（可搬型の記録媒体）に記録する。圧縮処理は、通常、ＪＰＥＧ（Joint Photographic Experts Group）が適用される。ファイルには、撮影する前に画素数が設定される主画像の画像データと、主画像よりも小さい画像サイズのサムネイル画像の画像データの２種類の画像データが記録される。
【０００４】
ディジタルカメラの再生処理においては、メディアに記録された画像を任意に選択して、その選択画像を表示用サイズにサイズ変更して、カメラ本体の表示装置に表示する。または、メディアに記録された画像の複数枚を表示枠領域に貼り付けたマルチ画像の表示用画像データをカメラ本体の表示装置に表示する。
【特許文献１】特開２００２―３７４４８２号公報（第４−６頁、第１−５図）
【特許文献２】特開２００５−２３６４９６号公報（第４−７頁、第１−６図）
【特許文献３】特開平１１−３０８５６９号公報（第４−８頁、第１−６図）
【発明の開示】
【発明が解決しようとする課題】
【０００５】
従来のディジタルカメラでは、再生表示する際には、通常、メディアに記録された画像が用いられる。より高精細な画像データを記録するため、記録する際の画素数を増やす必要があり、撮像素子等の進歩もあって主画像の画素数は年々大きくなってきている。それと比例するように、メディアへ記録する画像ファイルのサイズも大きくなってきている。
【０００６】
結果として、メディアからの高精細な主画像の画像データの読み出し処理、伸張処理、画像のサイズ変更処理に要する時間や負荷は増加しており、再生モードにして画像を選択しても、すぐに画像が表示されず、操作上の違和感を否めないという問題がある。表示を切り替える際には、次に表示する画像の再生処理分の時間を要するため、画像の選択を素早く行うことができないことが問題となる。主画像の代わりにサムネイル画像を表示することで画像の切り替えを素早く行えるディジタルカメラも存在するが、サムネイル画像は高精細な主画像に比べて画質が劣るという欠点がある。
【０００７】
また、最初にサムネイル画像を表示して、表示を行っている間に主画像の画像データの伸張処理を行い、主画像の画像データの伸張処理が終了するとサムネイル画像から主画像に表示を切り替えるという方法も考案されている（特許文献１を参照）。しかし、主画像の画像データを扱うという点で負荷の軽減は困難である。
【０００８】
それ以外にも、主画像、サムネイル画像とは別に、表示用サイズに合わせた表示用画像データを保存し、その表示用画像データを読み出し、伸張処理を行い表示するという方法も考案されている（特許文献２を参照）。しかし、メディアから読み出すという点で時間がかかる。また、この方法では画像データをメディアに記録するため、メディアに記録できる画像の枚数が減ってしまうという問題がある。
【０００９】
１枚再生とは別に、マルチ画像の表示用画像データ再生においては、メディアから複数枚の画像データを読み出した上で表示枠領域に貼り付けて表示を行うため、１画面に表示する枚数分のメディアからの画像の読み出し処理、読み出された画像の伸張処理、任意のサイズへのサイズ変更処理を行わなければならず、上記の１枚再生処理と同様、時間がかかる。
【課題を解決するための手段】
【００１０】
本発明による画像記録装置は、撮影で得られた主画像の画像データをメディアに記録するものであって、
撮像素子より入力されてくる撮像信号に対して信号処理を行う撮像処理部と、
前記撮像処理部による前記主画像の画像データのサイズの変更を行うズーム処理部と、
前記画像データに対する表示用の処理を行う表示画像処理部と、
撮影時に前記メディアに記録する前記主画像の画像データとは別に、表示用画像データとして、“表示枠領域に複数枚の画像を貼り付けたマルチ画像の表示用画像データ”と“表示サイズに合わせた１枚画像の表示用画像データ”のうちの少なくともいずれか一方の表示用画像データを生成し、生成した前記表示用画像データを記憶領域に一時記憶させておく表示用画像管理部とを備えたものである。
【００１１】
この構成において、撮像に伴って画像データを記録する際に、主画像の画像データのメディアへの記録とは別に、表示用画像管理部にて、マルチ画像の表示用画像データと１枚画像の表示用画像データのうち少なくともいずれか一方の表示用画像データを生成し、生成した表示用画像データを記憶領域に一時記憶しておく。主画像の画像データのメディアへの記録と並行して、表示のために生成した表示用画像データを記憶領域に一時記憶させておくので、さらに、表示用画像管理部ではあらかじめ決まっている表示サイズに合わせた画素数で記憶を行うので、表示用サイズにサイズ変更する処理を省くことができ、再生モードにおいて、メディアから主画像の画像データを読み出した上で表示用画像データを生成する場合に比べて、表示用画像データの表示の処理を高速化することができる。
【００１２】
上記の構成において、前記表示用画像データを前記記憶領域に一時記憶する際に、前記表示用画像データを圧縮した上で記憶する機能を有するという態様がある。圧縮した表示用画像データを記憶領域に一時記憶する場合には、表示においてメディアから読み出して表示用に伸張処理する場合に比べて、表示処理の大幅な高速化を実現できる。
【００１３】
さらに、前記表示用画像管理部は、前記マルチ画像の表示用画像データを生成する際に、前記主画像の画像データが前記表示枠領域に貼り付けられる最大枚数分まで得られていない場合には、前記マルチ画像の表示用画像データの圧縮をせずに前記記憶領域に一時記憶させるという態様がある。最大枚数未満のときには、マルチ画像の表示用画像データを圧縮せずに置いておき、処理時間を短縮する。
【００１４】
上記の構成において、前記表示用画像管理部は、前記表示用画像データとして１枚画像の表示用画像データのみを生成し、前記記憶領域に一時記憶させるという態様がある。１枚画像の表示用画像データを表示する際に、記憶領域としてメディアを使用しない場合はメディアからの画像の読み出し処理を省くことができる。記憶領域としてメディアを使用する場合でも、読み出しサイズが主画像の画像データに比べて小さいため、読み出し時間を短縮することができる。また、伸張する画像のサイズを主画像の画像データより大幅に小さくすることができるので、伸張処理に要する時間を短縮することができる。
【００１５】
また、上記の構成において、前記表示用画像管理部は、前記表示用画像データとしてマルチ画像の表示用画像データのみを生成し、前記記憶領域に一時記憶させるという態様もある。マルチ画像の表示用画像データを表示する場合、読み出しは１枚画像の表示用画像データの読み出し処理と同様である。すなわち、従来のマルチ画像の表示用画像データ再生で起こっていたような、１画面に表示する枚数分のメディアからの画像の読み出し処理、読み出された画像の伸張処理、任意のサイズへのサイズ変更処理については、これらを省略することができる。
【００１６】
また、上記の構成において、前記表示用画像管理部は、前記表示用画像データとしてマルチ画像の表示用画像データおよび１枚画像の表示用画像データの双方を生成し、それぞれを前記記憶領域に一時記憶させるという態様もある。
【００１７】
また、上記の構成において、前記表示用画像管理部は、生成された前記マルチ画像の表示用画像データと前記１枚画像の表示用画像データとを前記記憶領域において２つに分けて一時記憶するという態様がある。それぞれの記憶領域を明確に分けておくことで、表示用画像データの管理を簡単にし、再生時の読み出しをし易くすることができる。
【００１８】
また、上記の構成において、前記表示用画像データの一時記憶のための前記記憶領域は、外部メモリ、内部メモリ、メディアのうちの少なくとも何れか１つであるという態様がある。内部メモリ、外部メモリに画像データを一時記憶させておく場合には、表示用画像データを読み出す処理、表示用サイズに変更する処理を短縮することができる。
【００１９】
そして、前記表示用画像データの一時記憶のための前記記憶領域が前記メディアである場合に、電源がＯＦＦされたときには、前記メディアで一時記憶されている前記表示用画像データを削除するように構成されていることが好ましい。表示用画像データの一時記憶はあくまで表示用のためであり、電源をＯＦＦして表示を停止するときには、記憶領域から表示用画像データを削除して、記憶領域の記憶容量を確保する。
【発明の効果】
【００２０】
本発明によれば、撮像に伴って画像データを記録する際に、主画像の画像データのメディアへの記録とは別に表示用画像データを生成し、生成した表示用画像データを記憶領域に一時記憶しておき、さらに、あらかじめ決まっている表示サイズに合わせた画素数で一時記憶を行うので、再生モードにおいて、メディアから主画像の画像データを読み出した上で表示用画像データを生成する場合に比べて、表示用画像データの表示の処理を高速化することができる。
【発明を実施するための最良の形態】
【００２１】
以下、本発明にかかわる画像記録装置の実施の形態について図面に基づいて詳細に説明する。
【００２２】
図１は、本発明の実施の形態における画像記録装置の構成を示すブロック図である。
【００２３】
図１において、１は光を集める光学系のレンズ、２はレンズ１によって集められた光を受光し、画像を表現する電気信号に変換して出力する撮像素子、３は撮像素子２を駆動制御するとともに、撮像素子２より出力された電気信号のノイズ除去などの補正処理を行い、輝度／色差を表すＹＣデータに変換し出力する撮像処理部、４は撮像処理部３から出力されたＹＣデータを拡大／縮小などをしてＹＣデータのサイズの変更を行うズーム処理部、５は画像データに対して圧縮を行ったり、圧縮されたデータに対して伸張を行う画像データ圧縮／伸張処理部、６は表示に合わせた信号変換などの処理を行う表示画像処理部、７は表示画像処理部６より出力された信号を表示するＬＣＤなどの画像表示部、８はＤＲＡＭ（Dynamic Random Access Memory）、ＳＲＡＭ（Static Random Access Memory）等の揮発性メモリからなる内部メモリ、９はＤＲＡＭ等からなる外部メモリ、１０は着脱可能なＳＤカードやフラッシュメモリ等からなるメディア（可搬型の記録媒体）である。内部メモリ８、外部メモリ９では、各処理部で出力される画像データや処理中の画像データなど様々な情報の一時保管を行う。メディア１０では、撮影された画像データを記録して保存したり、記録された画像データを読み出す処理を行う。１１はデータの転送や演算処理など画像記録装置全体の制御を行うＣＰＵ（Central Processing Unit）、１２は表示用画像データの生成を行い、記憶領域に、１枚画像の表示用画像データ用領域とマルチ画像の表示用画像データ用の２種類の表示画像用領域にそれぞれ一時記憶する表示用画像管理部である。
【００２４】
次に、上記のように構成された本実施の形態の画像記録装置の記録動作を図２のフローチャートに従って説明する。
【００２５】
撮像装置においてユーザによってシャッターが押されると、ステップＳ１において、撮像素子２より光電変換された電気信号が流れて撮像処理部３にて補正を行い、ＹＣデータを生成する。次いでステップＳ２において、ステップＳ１で生成されたＹＣデータからズーム処理部４にて主画像の画像データ、主画像より小さなサムネイル画像の画像データの生成を行う。次いでステップＳ３において、ステップＳ２で生成された２つのデータ（主画像、サムネイル画像）を画像データ圧縮／伸張処理部５にてＪＰＥＧ圧縮する。次いでステップＳ４において、ステップＳ３で圧縮されたデータをメディア（ＳＤカード）１０に書き込む。次いでステップＳ５において、メディア１０への書き込み後、ステップＳ１で生成されたＹＣデータからズーム処理部４にて表示用画像データを生成する。次いでステップＳ６において、ステップＳ５で生成された表示用画像データを画像データ圧縮／伸張処理部５にてＪＰＥＧ圧縮する。次いでステップＳ７において、ステップＳ６で生成した圧縮されたデータを表示用画像管理部１２にて記憶領域（内部メモリ／外部メモリ／メディア）に一時記憶する。
【００２６】
記録処理時に記録された画像を画像表示部７に表示させる場合には、主画像とサムネイル画像の画像データの生成と同時に表示用画像データを生成しておき、その画像を画像表示部７に表示させる。すなわち、改めてステップＳ５で表示画像データを生成するのではなく、既に生成が完了している表示用画像データをステップＳ６にてＪＰＥＧ圧縮し、次いでステップＳ７にて記憶領域に一時記憶させるようにする。
【００２７】
記録処理としては、上記では、〔メディアに書き込む主画像の画像データ、サムネイル画像の画像データの生成〕、〔表示用画像データの生成〕、という順に行っているが、表示用画像データを先に生成することも可能である。また、一時記憶させておく記憶領域を１枚画像の表示用画像データ、マルチ画像の表示用画像データそれぞれに連続するアドレスの領域を確保して分けて記憶することとする。それぞれの記憶領域を明確に分けておくことで、表示用画像データの管理を簡単にし、再生時の読み出しをし易くすることができる。
【００２８】
以下、より具体的レベルで説明する。
【００２９】
〔１枚画像の場合〕
まず、表示用画像データとして、１枚画像の表示用画像データを生成する場合の記録処理の動作について、図３のフローチャートを用いて説明する。なお、このフローチャートは図２をさらに詳細に説明したものに対応する。
【００３０】
撮像装置においてユーザによってシャッターが押されると、ステップＳ１１において、撮像素子２より光電変換された電気信号が流れて撮像処理部３にて補正を行い、ＹＣデータを生成する。次いでステップＳ１２において、ステップＳ１１で生成されたＹＣデータからズーム処理部４にて主画像の画像データ、主画像より小さなサムネイル画像の画像データの生成を行う。次いでステップＳ１３において、ステップＳ１２で生成された２つのデータ（主画像、サムネイル画像）を画像データ圧縮／伸張処理部５にてＪＰＥＧ圧縮する。次いでステップＳ１４において、ステップＳ１３で圧縮されたデータをメディア（ＳＤカード）１０に書き込む。次いでステップＳ１５において、メディア１０への書き込み完了後、ステップＳ１１で生成されたＹＣデータからズーム処理部４にて画像のデータを表示サイズに変更し、表示用の１枚画像の表示用画像データを生成する。次いでステップＳ１６において、ステップＳ１５で生成した表示用画像データを画像データ圧縮／伸張処理部５にてＪＰＥＧ圧縮する。次いでステップＳ１７において、ステップＳ１６で生成した圧縮されたデータを表示用画像管理部１２にて記憶領域に一時記憶する。
【００３１】
なお、記録処理時に記録された画像を画像表示部７に表示させるような場合は、主画像とサムネイル画像の画像データの生成と同時に表示用画像データを生成しておき、その画像を画像表示部７に表示させる。すなわち、改めてステップＳ１５で表示画像データを生成するのではなく、既に生成が完了している表示用画像データをステップＳ１６にてＪＰＥＧ圧縮し、次いでステップＳ１７において、ステップＳ１６で生成した圧縮されたデータを表示用画像管理部１２にて記憶領域に一時記憶する。
【００３２】
〔マルチ画像の場合〕
次に、表示用画像データとして、マルチ画像の表示用画像データを生成する場合の記録処理について、図４のフローチャートを用いて説明する。なお、このフローチャートは図２をさらに詳細に説明したものに対応する。
【００３３】
撮像装置においてユーザによってシャッターが押されると、ステップＳ２１において、撮像素子２より光電変換された電気信号が流れて撮像処理部３にて補正を行い、ＹＣデータを生成する。次いでステップＳ２２において、ステップＳ２１で生成されたＹＣデータからズーム処理部４にて主画像の画像データ、主画像より小さなサムネイル画像の画像データの生成を行う。次いでステップＳ２３において、ステップＳ２２で生成された２つのデータ（主画像、サムネイル画像）を画像データ圧縮／伸張処理部５にてＪＰＥＧ圧縮する。次いでステップＳ２４において、ステップＳ２３で圧縮されたデータをメディア（ＳＤカード）１０に書き込む。次いでステップＳ２５において、メディア１０への書き込み完了後、ズーム処理部４にて任意の画像データのサイズに変更し、表示枠領域に貼り付ける。
【００３４】
次いでステップＳ２６において、表示枠領域が最大枚数かどうかを判定する。最大枚数とは、表示枠領域においてマルチ画像の表示用画像データに貼り付けられる枚数の最大値のことである。最大枚数でなければ、ステップＳ２７に進んで、マルチ画像の表示用画像データを圧縮するかどうかの判定を行う。圧縮する場合は、ステップＳ２８に進んで、ステップＳ２５で生成した表示用画像データを画像データ圧縮／伸張処理部５にてＪＰＥＧ圧縮する。次いでステップＳ２９において、ステップＳ２８で生成した圧縮されたデータを表示用画像管理部１２にて記憶領域に一時記憶する。圧縮を行わない場合は、ステップＳ２９において、ステップＳ２５で生成されたデータを表示用画像管理部１２にて記憶領域に一時記憶する。
【００３５】
ステップＳ２６の判断で最大枚数にまで達した場合、ステップＳ２８に進んで、画像データ圧縮／伸張処理部５にてマルチ画像の表示用画像データをＪＰＥＧ圧縮し、ステップＳ２９でステップＳ２８で生成した圧縮されたデータを表示用画像管理部１２にて記憶領域に一時記憶する。
【００３６】
以上において、記憶領域として使用するメモリとしては、内部メモリ８、外部メモリ９、メディア（ＳＤカード）１０の３つ中から選択できるものとする。
【００３７】
上述のように、最大枚数未満のときにマルチ画像の表示用画像データを圧縮して一時記憶する場合、記録処理毎に、一度圧縮されたマルチ画像の表示用画像データを伸張して表示枠領域に貼り付け、再度圧縮を行う必要がある。マルチ画像の表示用画像データを圧縮せずに置いておくことで、最大枚数未満の記録処理時に、マルチ画像の表示用画像データを圧縮／伸張するという処理を省くことができ、処理時間を短縮することができる。
【００３８】
〔再生モード〕
次に、図３、図４で生成した画像を表示する再生モードの処理について、図５のフローチャートを用いて説明する。
【００３９】
ユーザにより再生モードが選択された場合、ステップＳ３１において、表示用画像データの有無の判定を行う。表示用画像データがなければ、ステップＳ３２に進んで、メディア（ＳＤカード）１０より画像データを読み出し、画像データ圧縮／伸張処理部５にて主画像の画像データまたはサムネイル画像の画像データの伸張を行う。次いでステップＳ３３において、ステップＳ３２で伸張したデータの画像サイズをズーム処理部４にて表示用サイズに変更する。次いでステップＳ３５において、ステップＳ３３で生成された画像を画像表示部７にて表示する。
【００４０】
ステップＳ３３の判断で表示用画像データがある場合は、ステップＳ３４に進んで、記憶領域より画像データを読み出し、読み出した画像に対して画像データ圧縮／伸張処理部５にて伸張処理を行う。次いでステップＳ３５において、ステップＳ３４で生成された画像データを画像表示部７にて表示する。
【００４１】
なお、表示用画像データとしては上述のように１枚の画像を表示サイズにサイズ変更したもの、あるいは複数枚の画像を表示枠領域に貼り付けたマルチ画像の表示用画像データとがある。
【００４２】
次に、電源をＯＦＦされた場合の処理について説明する。
【００４３】
複数枚の記録処理を行った後に電源をＯＦＦする場合、表示用画像データがメディア（ＳＤカード）１０に記憶されているかを判定する。記憶されていない場合は、そのまま電源ＯＦＦ処理を行う。記憶されている場合は、メディア（ＳＤカード）１０に記憶されている表示用画像データを全て削除し、電源ＯＦＦ処理を行う。
【産業上の利用可能性】
【００４４】
本発明の画像記録装置は、ディジタルカメラ、電子スチルカメラ等において、静止画像、動画像を問わず、撮像および記録にかかわる主画像の画像データについての表示用画像データの表示の処理を高速化する技術等として有用である。
【図面の簡単な説明】
【００４５】
【図１】本発明の実施の形態における画像記録装置の構成を示すブロック図
【図２】本発明の実施の形態における画像記録装置の記録時の動作を示すフローチャート
【図３】本発明の実施の形態における画像記録装置の１枚画像の表示用画像データ生成の場合の記録時の動作を示すフローチャート
【図４】本発明の実施の形態における画像記録装置のマルチ画像の表示用画像データ生成の場合の記録時の動作を示すフローチャート
【図５】本発明の実施の形態における画像記録装置の再生時の画像表示処理の動作を示すフローチャート
【符号の説明】
【００４６】
１  レンズ
２  撮像素子
３  撮像処理部
４  ズーム処理部
５  画像データ圧縮／伸張処理部
６  表示画像処理部
７  画像表示部
８  内部メモリ
９  外部メモリ
１０  メディア（ＳＤカードなど）
１１  ＣＰＵ
１２  表示用画像管理部
【図１】
2007306291.tif 000003
【図２】
2007306291.tif 000004
【図３】
2007306291.tif 000005
【図４】
2007306291.tif 000006
【図５】
2007306291.tif 000007